(57)【要約】 【課題】携帯端末装置から外部出力装置へ映像出力させる際に、円滑な映像出力を実現できるようにする。 【解決手段】携帯電話装置１は、外部出力装置２との接続を検出した際に、当該外部出力装置２側を映像出力可能な状態（例えば、電源オン状態）に準備すべきことを促す催促メッセージを出力する。 【選択図】  図１
2008182390.tif 000002
【特許請求の範囲】
【請求項１】
装置本体側の表示部に映像情報を出力する映像出力機能を有した携帯端末装置であって、
映像出力が可能な外部出力装置との接続有無を検出する接続検出手段と、
この接続検出手段によって外部出力装置との接続が検出された際に、当該外部出力装置側を映像出力可能な状態に準備すべきことを促す催促メッセージを出力する催促メッセージ出力手段と、
を具備したことを特徴とする携帯端末装置。
【請求項２】
前記催促メッセージ出力手段は、前記接続検出手段によって外部出力装置との接続が検出されたこと及び映像出力機能が動作中であることを条件として催促メッセージを出力する、
ようにしたことを特徴とする請求項１記載の携帯端末装置。
【請求項３】
前記外部出力装置と前記表示部との間において映像出力先を切り替える切替手段を更に設け、
前記催促メッセージを出力してから所定時間経過後に、前記切替手段は、映像出力先を前記外部出力装置に切り替える、
ようにしたことを特徴とする請求項２記載の携帯端末装置。
【請求項４】
前記切替手段によって映像出力先を前記外部出力装置に切り替えたことの良否を問い合わせるための確認メッセージを出力する確認メッセージ出力手段を更に設け、
前記切替手段は、前記確認メッセージの出力後にユーザからの応答内容に基づいて映像出力先を外部出力装置から前記表示部に切り替える、
ようにしたことを特徴とする請求項３記載の携帯端末装置。
【請求項５】
前記映像出力機能の動作中に前記接続検出手段によって外部出力装置との接続が検出された際に、前記催促メッセージ出力手段は、催促メッセージを出力する、
ようにしたことを特徴とする請求項２記載の携帯端末装置。
【請求項６】
前記接続検出手段によって外部出力装置が接続中であることが検出されている状態において前記映像出力機能の動作が開始された際に、前記催促メッセージ出力手段は、催促メッセージを出力する、
ようにしたことを特徴とする請求項２記載の携帯端末装置。
【請求項７】
前記催促メッセージの出力に先立って、前記外部出力装置との電気的な接続状態を確認する確認手段を更に設け、
前記催促メッセージ出力手段は、前記確認手段によって外部出力装置との電気的な接続状態が確認されたかった場合に、当該外部出力装置側では映像出力可能な状態に整っていないと判断して催促メッセージを出力する、
ようにしたことを特徴とする請求項１記載の携帯端末装置。
【請求項８】
前記外部出力装置と前記表示部との間において映像出力先を切り替える切替手段と、
前記催促メッセージの出力に先立って、前記外部出力装置との電気的な接続状態を確認する確認手段と、
を更に設け、前記切替手段は、前記確認手段によって外部出力装置との電気的な接続状態が確認された場合に、当該外部出力装置側では映像出力可能な状態に整っていると判断して映像出力先を当該外部出力装置に切り替える、
ようにしたことを特徴とする請求項１記載の携帯端末装置。
【請求項９】
前記外部出力装置と前記表示部との間において映像出力先を切り替える切替手段を更に設け、
前記催促メッセージ出力手段は、前記接続検出手段によって外部出力装置との接続が検出されていること及び前記切替手段によって映像出力先として外部出力装置への切り替えが指示されていることを条件として催促メッセージを出力する、
ようにしたことを特徴とする請求項１記載の携帯端末装置。
【請求項１０】
前記接続検出手段によって外部出力装置が接続中であることが検出されている状態において前記切替手段によって映像出力先が外部出力装置に切り替えられた際に、前記催促メッセージ出力手段は、催促メッセージを出力する、
ようにしたことを特徴とする請求項９記載の携帯端末装置。
【請求項１１】
装置本体側の表示部に映像情報を出力する映像出力機能を有した携帯端末装置であって、
映像出力が可能な外部出力装置と前記表示部との間において映像出力先を切り替える切替手段と、
前記外部出力装置との接続有無を検出する接続検出手段と、
この接続検出手段によって外部出力装置との接続が検出された際に、映像出力先を外部出力装置に切り替えるか否かを問い合わせるための確認メッセージを出力する確認メッセージ出力手段と、
を具備したことを特徴とする携帯端末装置。
【請求項１２】
前記接続検出手段は、外部出力装置に物理的に接続されていることを検出し、かつ、この外部出力装置との電気的な接続状態を検出する、
ようにしたことを特徴とする請求項１１記載の携帯端末装置。
【請求項１３】
前記確認メッセージ出力手段は、前記映像出力機能の動作していこと及び前記接続検出手段によって外部出力装置との接続が検出されたことを条件として確認メッセージを出力する、
ようにしたことを特徴とする請求項１１記載の携帯端末装置。
【請求項１４】
前記確認メッセージの出力後に映像出力先の切り替えを肯定するユーザ操作が行われた際に、前記切替手段は、映像出力先を当該外部出力装置に切り替える、
ようにしたことを特徴とする請求項１１記載の携帯端末装置。
【請求項１５】
コンピュータに対して、
映像出力が可能な外部出力装置との接続有無を検出する機能と、
前記外部出力装置との接続が検出された際に、当該外部出力装置側を映像出力可能な状態に準備すべきことを促す催促メッセージを出力する機能と、
を実現させるためのプログラム。
【請求項１６】
コンピュータに対して、
映像出力が可能な外部出力装置と装置本体側の表示部との間において映像出力先を切り替える機能と、
前記外部出力装置との接続有無を検出する機能と、
前記外部出力装置との接続が検出された際に、映像出力先を外部出力装置に切り替えるか否かを問い合わせるための確認メッセージを出力する機能と、
を実現させるためのプログラム。
【発明の詳細な説明】
【技術分野】
【０００１】
この発明は、装置本体側の表示部に映像情報を出力する映像出力機能を有した携帯端末装置及びプログラムに関する。
【背景技術】
【０００２】
一般に、デジタルテレビ放送の受信チューナ付き携帯電話装置にあっては、携帯性という特質上、その画面サイズが制約されているために、折角、良質な画像を受信することができたとしても小さな画面で見るしかなかった。
そこで、従来では、携帯電話装置で表示される映像コンテンツを外部モニタに転送して拡大表示させるようにした技術が知られている（特許文献１参照）。
【特許文献１】特開平２００３−２４４２８９号公報
【発明の開示】
【発明が解決しようとする課題】
【０００３】
しかしながら、上述した先行技術にあっては、外部モニタ（テレビ受信機）に対して携帯電話装置側から映像情報（コンテンツ情報）を出力する際の前提条件として、外部モニタの電源をオンしておくこと、外部モニタの入力モードを外部入力モード（例えば、リモコンモード）に設定しておくこと、大量の映像情報を送信する場合には携帯電話装置と外部モニタとを通信ケーブルなどで有線接続しておくことが必要であり、その１つでも忘れると、携帯電話装置から送信した映像情報を外部モニタで表示することができないという問題を生じる。
【０００４】
この発明の課題は、携帯端末装置から外部出力装置へ映像出力させる際に、円滑な映像出力を実現できるようにすることである。
【課題を解決するための手段】
【０００５】
請求項１記載の発明（第１の発明）は、装置本体側の表示部に映像情報を出力する映像出力機能を有した携帯端末装置であって、映像出力が可能な外部出力装置との接続有無を検出する接続検出手段と、この接続検出手段によって外部出力装置との接続が検出された際に、当該外部出力装置側を映像出力可能な状態に準備すべきことを促す催促メッセージを出力する催促メッセージ出力手段とを具備したことを特徴とする。
更に、コンピュータに対して、上述した請求項１記載の発明に示した主要機能を実現させるためのプログラムを提供する（請求項１５記載の発明）。
【０００６】
なお、上述した請求項１記載の発明は次のようなものであってもよい。
前記催促メッセージ出力手段は、前記接続検出手段によって外部出力装置との接続が検出されたこと及び映像出力機能が動作中であることを条件として催促メッセージを出力する（請求項２記載の発明）。
【０００７】
請求項２記載の発明において、前記外部出力装置と前記表示部との間において映像出力先を切り替える切替手段を更に設け、前記催促メッセージを出力してから所定時間経過後に、前記切替手段は、映像出力先を前記外部出力装置に切り替えるようにしてもよい（請求項３記載の発明）。
【０００８】
請求項３記載の発明において、前記切替手段によって映像出力先を前記外部出力装置に切り替えたことの良否を問い合わせるための確認メッセージを出力する確認メッセージ出力手段を更に設け、前記切替手段は、前記確認メッセージの出力後にユーザからの応答内容に基づいて映像出力先を外部出力装置から前記表示部に切り替えるようにしてもよい（請求項４記載の発明）。
【０００９】
請求項２記載の発明において、前記映像出力機能の動作中に前記接続検出手段によって外部出力装置との接続が検出された際に、前記催促メッセージ出力手段は、催促メッセージを出力するようにしてもよい（請求項５記載の発明）。
【００１０】
請求項２記載の発明において、前記接続検出手段によって外部出力装置が接続中であることが検出されている状態において前記映像出力機能の動作が開始された際に、前記催促メッセージ出力手段は、催促メッセージを出力するようにしてもよい（請求項６記載の発明）。
【００１１】
前記催促メッセージの出力に先立って、前記外部出力装置との電気的な接続状態を確認する確認手段を更に設け、前記催促メッセージ出力手段は、前記確認手段によって外部出力装置との電気的な接続状態が確認されたかった場合に、当該外部出力装置側では映像出力可能な状態に整っていないと判断して催促メッセージを出力する（請求項７記載の発明）。
【００１２】
前記外部出力装置と前記表示部との間において映像出力先を切り替える切替手段と、前記催促メッセージの出力に先立って、前記外部出力装置との電気的な接続状態を確認する確認手段とを更に設け、前記切替手段は、前記確認手段によって外部出力装置との電気的な接続状態が確認された場合に、当該外部出力装置側では映像出力可能な状態に整っていると判断して映像出力先を当該外部出力装置に切り替える（請求項８記載の発明）。
【００１３】
前記外部出力装置と前記表示部との間において映像出力先を切り替える切替手段を更に設け、前記催促メッセージ出力手段は、前記接続検出手段によって外部出力装置との接続が検出されていること及び前記切替手段によって映像出力先として外部出力装置への切り替えが指示されていることを条件として催促メッセージを出力する（請求項９記載の発明）。
【００１４】
請求項９記載の発明において、前記接続検出手段によって外部出力装置が接続中であることが検出されている状態において前記切替手段によって映像出力先が外部出力装置に切り替えられた際に、前記催促メッセージ出力手段は、催促メッセージを出力するようにしてもよい（請求項１０記載の発明）。
【００１５】
請求項１１記載の発明（第２の発明）は、装置本体側の表示部に映像情報を出力する映像出力機能を有した携帯端末装置であって、映像出力が可能な外部出力装置と前記表示部との間において映像出力先を切り替える切替手段と、前記外部出力装置との接続有無を検出する接続検出手段と、この接続検出手段によって外部出力装置との接続が検出された際に、映像出力先を外部出力装置に切り替えるか否かを問い合わせるための確認メッセージを出力する確認メッセージ出力手段とを具備したことを特徴とする。
更に、コンピュータに対して、上述した請求項１１記載の発明に示した主要機能を実現させるためのプログラムを提供する（請求項１６記載の発明）。
【００１６】
なお、上述した請求項１１記載の発明は次のようなものであってもよい。
前記接続検出手段は、外部出力装置に物理的に接続されていることを検出し、かつ、この外部出力装置との電気的な接続状態を検出する（請求項１２記載の発明）。
【００１７】
前記確認メッセージ出力手段は、前記映像出力機能の動作していこと及び前記接続検出手段によって外部出力装置との接続が検出されたことを条件として確認メッセージを出力する（請求項１３記載の発明）。
【００１８】
前記確認メッセージの出力後に映像出力先の切り替えを肯定するユーザ操作が行われた際に、前記切替手段は、映像出力先を当該外部出力装置に切り替える（請求項１４記載の発明）。
【発明の効果】
【００１９】
第１の発明は、携帯端末装置を外部出力装置に接続することによって外部出力装置での映像出力を可能とする携帯端末側の準備が整った際に、肝心の外部出力装置側の準備も忘れないように注意を喚起させることができ、携帯端末装置から外部出力装置への円滑な映像出力を実現することができる。
【００２０】
第２の発明は、携帯端末装置を外部出力装置に接続した際に、外部出力装置での映像出力を可能とする携帯端末側の準備を忘れないように注意を喚起させることができ、携帯端末装置から外部出力装置への円滑な映像出力を実現することが可能となる。
【発明を実施するための最良の形態】
【００２１】
（実施例１）
以下、図１〜図６を参照して本発明の第１実施例を説明する。
この実施例は、携帯端末装置としてテレビ受信出力機能付き携帯電話装置に適用した場合で、図１は、このテレビ受信出力機能付き携帯電話装置１で受信したテレビ放送内容を外部出力装置２から映像出力させる場合を示した概略斜視図である。
携帯電話装置１は、例えば、２つの筐体（操作部筐体１Ａ、表示部筐体１Ｂ）が開閉可能に取り付けられた折畳自在なもので、通話機能、電子メール機能、インターネット接続機能（Ｗｅｂアクセス機能）などのほか、テレビ受信出力機能（映像出力機能）、テレビリモコン機能を備えている。
【００２２】
テレビ受信出力機能は、携帯電話などの携帯受信機向けの地上波デジタルテレビ放送を受信して携帯電話装置１側の表示部にて出力する機能であり、テレビ映像及び音声情報以外にも電子番組表(ＥＰＧ)なども含めて受信可能なものである。テレビリモコン機能は、外部出力装置２を赤外線通信（近距離無線通信）によってリモート・コントロールするもので、例えば、２つの筐体を開いた状態において、操作部筐体１Ａ上の所定キーを操作することによって外部出力装置２に対する制御信号として、例えば、電源オン／オフ信号、チャンネル切替信号などを赤外線送信する構成となっている。なお、表示部筐体１Ｂの上端部には、赤外線発光部Ｒ１が配置され、外部出力装置２の前面部には、赤外線受光部Ｒ２が配置されている。
【００２３】
このテレビ受信出力機能付き携帯電話装置１をクレードル装置３に載置（接続）すると、通信ケーブル４を介して携帯電話装置１は、外部出力装置２に通信接続（有線接続）される。外部出力装置２は、例えば、据置型のテレビ受信機あるいはテレビ受信出力機能付きパーソナルコンピュータであり、携帯電話装置１からクレードル装置３を介して送信されてきたテレビ映像及びテレビ音声を出力する。なお、以下、携帯電話装置１から外部出力装置２への出力には、映像出力に限らず音声出力も含むものとする（以下、同様）。クレードル装置３は、携帯電話装置１の二次電池（図示せず）を充電する充電機能と携帯電話装置１で受信したテレビ放送内容を外部出力装置２に転送するデータ中継機能（通信機能）を備えたもので、外部出力装置２とクレードル装置３とは、通信ケーブル４を介して接続可能となっている。
【００２４】
図２は、テレビ受信出力機能付き携帯電話装置１の基本的な構成要素を示したブロック図である。
ＣＰＵ１１は、記憶部１２内の各種のプログラムに応じて携帯電話装置１の全体動作を制御する中核的な中央演算処理装置である。記憶部１２は、内部メモリであり、プログラム領域とデータ領域とを有し、このプログラム領域には、後述する図３〜図５に示す動作手順に応じて本実施例を実現するためのプログラムが格納されている。外部記録メディア１３は、着脱自在な可搬型メモリで、録画コンテンツなど、各種のデータ・プログラムを外部供給するもので、例えば、ＳＤカード、ＩＣカードなどによって構成されている。メモリ１４は、ワーク領域を有する内部メモリであり、必要に応じてメモリ１４内の各種のデータは、記憶部１２にセーブされる。
【００２５】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映像コンテンツあるいはテレビ受信出力機能によって受信したテレビ放送内容は、表示制御部１９を介して携帯表示部２０に与えられて表示出力される。
【００２６】
携帯表示部２０は、文字、映像などを高品位に表示するもので、テレビ受信出力機能の動作時にはテレビ画面として使用され、テレビリモコン機能の動作時にはリモコン画面として使用される。キー操作部２１は、ダイヤル入力、文字入力、コマンド入力などを行うもので、このキー操作部２１には、数値／文字入力キー、ダイヤルキーなどのほか、テレビキー、リモコンキー、モード切替キーが設けられており、ＣＰＵ１１は、キー操作部２１からのキー入力信号に応じた処理を実行する。テレビキーは、テレビ受信出力機能を構成するテレビアプリケーション（ＴＶアプリ）をそのオン／オフ操作によって起動／終了させるキーであり、また、リモコンキーは、リモコン機能をオン／オフさせるキーである。モード切替キーは、映像出力先を携帯表示部２０とする「携帯出力モード」と外部出力装置２とする「外部出力モード」に切り替えるキーである。
【００２７】
テレビ放送受信部２２は、テレビアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、テレビ映像データ及び文字データなどは、携帯表示部２０から表示出力され、また、テレビ音声データは、サウンドスピーカ２３から出力される。
【００２８】
リモコン用赤外線通信部２４は、外部出力装置２をリモート・コントロールするもので、外部出力装置２にリモコン制御信号として電源オン／オフ信号、チャンネル信号、音量調整信号などを赤外線送信する。クレードル接続部２５は、携帯電話装置１がクレードル装置３に接続された際に、クレードル装置３からの充電電流によって携帯電話装置１の二次電池（図示せず）を充電するもので、ＣＰＵ１１は、クレードル接続部２５から出力される接続検出信号に基づいて装置本体がクレードル装置３に載置（接続）されているか否か、つまり、クレードル装置３を介して外部出力装置２に接続されているか否かを判別する。ここで、ＴＶアプリが動作しているか否か及び外部出力装置２（クレードル装置３）に接続されているか否かに基づいて外部出力装置２との接続を促す催促メッセージを携帯表示部２０に表示するようにしている。
【００２９】
また、クレードル装置３を介して外部出力装置２に接続されている状態において、ＣＰＵ１１は、外部出力装置２との電気的な接続状態を確認するための接続確認信号を送信したのち、その応答有無に基づいて外部出力装置２が電気的に接続されているか、つまり、外部出力装置２側では映像出力可能な状態にあるか否かを判別する。例えば、外部出力装置２側の入力モードが外部からの入力を受け付ける外部入力モード（例えば、リモコンモード）に設定されているか、外部からの入力を受け付けない内部入力モード（例えば、チューナモード）に設定されているかを外部出力装置２からの応答有無に基づいて判別する。この結果、電気的な接続状態を確認することができなかった場合（例えば、チューナモードに設定されている場合）には、外部出力装置２側の入力モードを「外部入力モード」に切り替えるべきことを促す催促メッセージを出力するようにしている。
【００３０】
次に、この実施例における携帯電話装置１の動作概念を図３〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する第２実施例においても同様であり、記録媒体のほかに、伝送媒体を介して外部供給されたプログラム／データを利用してこの実施例特有の動作を実行することもできる。
【００３１】
図３〜図６は、電源投入に伴って実行開始される携帯電話装置の全体動作を示したフローチャートである。
先ず、ＣＰＵ１１は、電話通信部１５を作動させて現在位置を登録する待受処理を行うと共に、所定の待受画像を読み出して表示出力させながら電話／メールの待受状態となる（図３のステップＡ１）。この状態において、電話／メール着信有りを検出すると（ステップＡ２でＹＥＳ）、着信メロディなどを発生出力させる着信報知を行うと共に、電話あるいはメールの着信処理を実行する（ステップＡ３）。また、待受状態において、何らかの操作が行われると（ステップＡ４でＹＥＳ）、テレビキーのオン操作によってＴＶアプリの起動が指示されたかを調べるが（ステップＡ５）、それ以外の操作であれば（ステップＡ５でＮＯ）、操作キー対応の処理として、例えば、電話発信処理、メール送信処理などの実行に移る（ステップＡ６）。
【００３２】
テレビキーがオン操作されると（ステップＡ５でＹＥＳ）、ＣＰＵ１１は、テレビ放送受信部２２に対して駆動を指示すると共に、ＴＶアプリを起動させたのち（ステップＡ７）、クレードル接続部２５をアクセスして、装置本体がクレードル装置３に接続されているか、つまり、クレードル装置３を介して携帯電話装置１が外部出力装置２に物理的に接続されているかを判別する（ステップＡ８）。いま、クレードル装置３に接続されていなければ（ステップＡ８でＮＯ）、テレビ映像の出力先を携帯表示部２０とするために「携帯出力モード」を選択してモードの切り替えを行う（ステップＡ１６）。そして、テレビ映像を携帯表示部２０に表示させる携帯出力動作を開始したのち（ステップＡ１７）、図５のフローに移り、以下、「携帯出力モード」下での処理を開始する。
【００３３】
すなわち、携帯表示部２０にテレビ映像が表示されている状態の「携帯出力モード」において、何らかのキーが操作されたかを調べる（図５のステップＡ２５）。ここで、モード切替キーの操作によって映像出力先を携帯表示部２０から外部出力装置２に切り替えることが指示されたか（ステップＡ２６）、テレビキーのオフ操作によってテレビ終了が指示されたかを調べ（ステップＡ２７）、それ以外のキーが操作された場合には（ステップＡ２７でＮＯ）、その操作キーに応じた処理として、例えば、音量調整処理などを実行するが（ステップＡ２８）、テレビ終了が指示された場合には（ステップＡ２７でＹＥＳ）、待受状態に戻る（図３のステップＡ１）。
【００３４】
一方、ＴＶアプリの起動時に装置本体がクレードル装置３を介して外部出力装置２に物理的に接続されている場合には（ステップＡ８でＹＥＳ）、外部出力装置２との電気的な接続状態を確認するための接続確認信号を送信してクレードル装置３を介して外部出力装置２に与える（ステップＡ９）。この場合、外部出力装置２側では、この接続確認信号を正常受信すると、その旨を示す応答信号をクレードル装置３を介して携帯電話装置１に送信する。すなわち、外部出力装置２側の入力モードが外部入力モード（例えば、リモコンモード）に設定されているときには携帯電話装置１への応答を行い、内部入力モード（例えば、チューナモード）に設定されているときには無応答となる。
【００３５】
ＣＰＵ１１は、外部出力装置２からの応答有無をチェックした結果（ステップＡ１０）、外部出力装置２からの応答を受信した場合（外部出力装置２側の入力モードが外部入力モードに設定されている場合）には、外部出力装置２側では映像出力が可能な状態、つまり、映像出力の準備が整っている状態にあると判断して、ステップＡ１１に移り、映像出力先を外部出力装置２とするために「外部出力モード」を選択してモードの切り替えを行う。そして、テレビ映像をクレードル装置３を介して外部出力装置２に送信する外部出力動作を開始したのち（ステップＡ１２）、図４のフローに移り、「外部出力モード」下の処理を行う。
【００３６】
すなわち、外部出力装置２にテレビ映像が表示されている状態の「外部出力モード」において、何らかのキーが操作されると（図４のステップＡ１８でＹＥＳ）、モード切替キーの操作によって映像出力先を外部出力装置２から携帯表示部２０に切り替えることが指示されたか（ステップＡ１９）、テレビキーのオフ操作によってテレビ終了が指示されたかを調べを調べる（ステップＡ２０）。いま、それ以外のキーが操作された場合には（ステップＡ２０でＮＯ）、その操作キーに応じた処理として、例えば、リモコン用赤外線通信部２４から操作キー対応の信号、例えば、チャンネル切替信号、音量調整信号などを送信出力する処理を実行し（ステップＡ２１）、テレビ終了が指示された場合には（ステップＡ２０でＹＥＳ）、待受状態に戻る（図３のステップＡ１）。
【００３７】
また、上述のステップＡ１０において、外部出力装置２からの応答有無をチェックした結果、電気的な接続状態を確認することができなかった場合（外部出力装置２側の入力モードがチューナモードに設定されている場合）には、映像出力先を携帯表示部２０とするか外部出力装置２とするかを問い合わせるための確認メッセージを表示させたのち（ステップＡ１３）、選択操作待ちとなる（ステップＡ１４）。このメッセージ画面には、「１：外部出力装置」、「２：携帯表示部」の項目が設けられており、ユーザ操作によって「２：携帯表示部」の項目が選択指定されたときには（ステップＡ１５でＮＯ）、映像出力先を携帯表示部２０とするために「携帯出力モード」を選択したのち（ステップＡ１６）、テレビ映像を携帯表示部２０に表示させる携帯出力動作を開始するが（ステップＡ１７）、「１：外部出力装置」の項目が選択されたときには（ステップＡ１５でＹＥＳ）、図６のフローに移る。
【００３８】
先ず、ＣＰＵ１１は、外部出力装置２側を映像出力可能な状態に準備すべきことを促す催促メッセージ（準備メッセージ）として、外部出力装置２側の入力モードをチューナモードから「外部入力モード（リモコンモード）」に切替変更すべきことを案内表示する（ステップＡ４０）。なお、この準備メッセージは、表示メッセージに限らず、音声メッセージであってもよい。このような準備メッセージを出力してから所定時間（例えば、３０秒）経過する前に（ステップＡ４１）、ユーザ操作によって外部出力装置２側の入力モードが「外部入力モード」に切り替えられたかを外部出力装置２からの応答有無に応じて調べる（ステップＡ４２）。
【００３９】
いま、外部出力装置２からの応答を受信すると、つまり、ユーザ操作によって外部出力装置２側の入力モードが「外部入力モード」に切り替えられたことを示す応答を受信すると（ステップＡ４２でＹＥＳ）、「外部出力モード」を選択してモードの切り替えを行ったのち（ステップＡ４３）、テレビ映像をクレードル装置３を介して外部出力装置２に送信する外部出力動作を開始する（ステップＡ４４）。その後、上述の場合と同様に、図４のフローに移り、「外部出力モード」下の処理を行う。
【００４０】
また、準備メッセージを出力してから所定時間が経過した場合には（ステップＡ４１でＹＥＳ）、「外部出力モード」に自動的に切り替えたのち（ステップＡ４５）、テレビ映像をクレードル装置３を介して外部出力装置２に送信する外部出力動作を開始する（ステップＡ４６）。このように映像出力先を自動的に切り替えた場合には、その良否を問い合わせるための確認メッセージを出力する（ステップＡ４７）。この準備メッセージを出力してから所定時間（例えば、１０秒）経過する前に、「外部出力モード」を肯定するユーザ指示を受けたか（ＯＫ操作が行われたか）を調べる（ステップＡ４８、４９）。
【００４１】
「外部出力モード」が肯定されたときには、上述の場合と同様に、図４のフローに移り、「外部出力モード」下の処理を行うが、所定時間が経過してもＯＫ操作が行われなかった場合、つまり、ユーザの意に反して「外部出力モード」に切り替えられた場合には（ステップＡ４９でＹＥＳ）、この「外部出力モード」をキャンセルして「携帯出力モード」への切り替えを行ったのち（ステップＡ５０）、テレビ映像を携帯表示部２０に表示させる携帯出力動作を開始する（ステップＡ５１）。その後、上述の場合と同様に、図５のフローに移って「携帯出力モード」下の処理を行う。
【００４２】
次に、携帯表示部２０にテレビ映像が表示されている状態の「携帯出力モード」において、クレードル装置３に接続された場合、あるいはモード切替操作によって「携帯出力モード」から「外部出力モード」への変更が指示された場合の動作について説明する。
先ず、「携帯出力モード」下でのキー操作無しのタイミングでは（図５のステップＡ２５でＮＯ）、クレードル装置３を介して装置本体が外部出力装置２に物理的に接続されたか、つまり、クレードル接続部２５の出力が非接続の状態から接続状態に変化したかを判別し（ステップＡ２９）、クレードル３に接続されていなければ、上述のステップＡ２５に戻るが、クレードル装置３に接続されたときには（ステップＡ２９でＹＥＳ）、図６のフローに移る。
【００４３】
先ず、ＣＰＵ１１は、外部出力装置２との電気的な接続状態を確認するための接続確認信号をクレードル装置３を介して外部出力装置２に送信したのち（ステップＡ３６）、外部出力装置２からの応答有無をチェックする（ステップＡ３７）。その結果、応答無しの場合（外部出力装置２側の入力モードがチューナモードに設定されている場合）には（ステップＡ３７でＮＯ）、上述のステップＡ４０に移り、外部出力装置２側の入力モードをチューナモードから外部入力モード（リモコンモード）に変更すべきことを案内表示したのち、以下、上述の場合と同様の処理を実行する。
【００４４】
また、上述のステップＡ３７において、外部出力装置２からの応答を受信したときには、つまり、外部出力装置２側の入力モードが外部入力モードに設定されているときには（ステップＡ３７でＹＥＳ）、映像出力先を携帯表示部２０から外部出力装置２に変更するために「携帯出力モード」から「外部出力モード」に切り替える（ステップＡ３８）。そして、テレビ映像をクレードル装置３を介して外部出力装置２に送信する外部出力動作を開始したのち（ステップＡ３９）、図４のフローに移り、以下、「外部出力モード」下の処理を行う。
【００４５】
一方、「携帯出力モード」下においてモード切替操作が行われると（図５のステップＡ２６でＹＥＳ）、クレードル装置３に接続されているかを判別する（ステップＡ３０）。ここで、モード切替操作時にクレードル装置３に接続されていれば（ステップＡ３０でＹＥＳ）、図６のステップＡ３６に移り、以下、上述の同様のモード切替処理を実行するが、モード切替操作時にクレードル装置３に接続されていなければ（ステップＡ３０でＮＯ）、クレードル装置３への接続を促すための催促メッセージを表示させる（ステップＡ３１）。なお、この催促メッセージは、表示メッセージに限らず、音声メッセージであってもよい。
【００４６】
そして、ＣＰＵ１１は、催促メッセージを出力してから所定時間（例えば、２０秒）が経過するまでの間にクレードル装置３に接続されたか否かを監視する（ステップＡ３２、３３）。この場合、ステップＡ３２では、クレードル装置３との物理的な接続のほか、外部出力装置２との電気的な接続状態をも含めて検出するようにしており、上述のステップＡ９、１０と同様に、接続確認信号を送信したのち、その応答有無を判別することによって外部出力装置２に電気的に接続されているか否かの検出を行う。
【００４７】
いま、所定時間が経過してもクレードル装置３に接続されなければ（ステップＡ３３でＹＥＳ）、今回のモード切替操作を無効とするためにステップＡ２５に戻るが、所定時間内にクレードル装置３に接続されたときには（ステップＡ３２でＹＥＳ）、上述と同様に、「携帯出力モード」から「外部出力モード」に切り替えたのち（ステップＡ３４）、テレビ映像を外部出力装置２に対して送信する外部出力動作を開始する（ステップＡ３５）。そして、図４のフローに移り、「外部出力モード」下の処理を行う。
【００４８】
次に、外部出力装置２にテレビ映像が表示されている状態の「外部出力モード」においてクレードル装置３の接続が外された場合、あるいはモード切替操作によって「外部出力モード」から「携帯出力モード」への変更が指示された場合の動作について説明する。
先ず、「外部出力モード」下でのキー操作無しのタイミングでは（図４のステップＡ１８でＮＯ）、装置本体がクレードル装置３から外されたか、つまり、クレードル接続部２５の出力が接続状態から非接続の状態に変化したかを判別する（ステップＡ２２）。
【００４９】
その結果、クレードル装置３に接続されているままの状態であれば（ステップＡ２２でＮＯ）、上述のステップＡ１８に戻るが、クレードル装置３から外されたときには（ステップＡ２２でＹＥＳ）、「携帯出力モード」を選択してモードの切り替えを行ったのち（ステップＡ２３）、テレビ映像を携帯表示部２０に表示させる携帯出力動作を開始する（ステップＡ２４）。その後、図５のフローに移り、「携帯出力モード」下の処理を行う。一方、「外部出力モード」においてモード切替キーの操作によって映像出力先が外部出力装置２から携帯表示部２０への切り替えが指示されたときにも（図４のステップＡ１９ででＹＥＳ）、「携帯出力モード」を選択して（ステップＡ２３）、テレビ映像を携帯表示部２０に表示させる携帯出力動作を開始したのち（ステップＡ２４）、図５のフローに移り、以下、同様の処理を実行する。
【００５０】
以上のように、この第１実施例において携帯電話装置１は、外部出力装置２との接続を検出した際に、当該外部出力装置２側を映像出力可能な状態に準備すべきことを促す催促メッセージを出力するようにしたので、携帯電話装置１を外部出力装置２に接続することによって外部出力装置２での映像出力を可能とする携帯電話側の準備が整った際に、肝心の外部出力装置２側の準備も忘れないように注意を喚起させることができ、携帯電話装置１から外部出力装置２への円滑な映像出力を実現することが可能となる。
【００５１】
外部出力装置２側の準備を促す催促メッセージは、外部出力装置２との接続が検出されたこと及びテレビ受信出力機能を構成するＴＶアプリが動作していることを条件に出力されるので、携帯電話装置１側での準備が整った時点で外部出力装置２側の準備を促すことができる。
【００５２】
この場合、催促メッセージを出力してから所定時間（例えば、３０秒）経過後に、映像出力先を外部出力装置２に切り替えるようにしたので、モードの切り替えを忘れたときでも所定時間経過後に外部出力動作を開始させることができる。
【００５３】
また、催促メッセージを出力してから所定時間経過後に映像出力先を外部出力装置２に切り替えた場合には、映像出力先を外部出力装置２に切り替えたことの良否を問い合わせるための確認メッセージを出力すると共に、この確認メッセージの出力に応じてユーザからその切替えを肯定するＯＫ応答が有ったことを条件に、映像出力先を外部出力装置２から携帯表示部２０に切り替えるようにしたので、ユーザの意向を考慮することができ、意に反した切り替えをキャンセルすることができる。
【００５４】
外部出力装置２側の準備を促す催促メッセージは、テレビ受信出力機能を構成するＴＶアプリの動作中において外部出力装置２との接続が検出された際に出力されるので、ユーザにあっては外部出力装置２の接続後、直ちに外部出力装置２側の準備を開始することが可能となる。
【００５５】
また、この催促メッセージは、外部出力装置２との接続中にＴＶアプリの動作開始が検出された際に出力されるので、ユーザにあっては、ＴＶアプリの起動後、直ちに外部出力装置２側の準備を開始することが可能となる。
【００５６】
催促メッセージの出力に先立って、外部出力装置２との電気的な接続状態を確認する接続確認信号を送信した結果、外部出力装置２からの応答が無く、外部出力装置２との電気的な接続状態を確認することができなかった場合に、催促メッセージを出力するようにしたので、当該外部出力装置２側で映像出力の準備が整っていない場合に限り、催促メッセージを出力することができ、不必要なメッセージ出力を防ぐことが可能となる。
【００５７】
また、外部出力装置２との電気的な接続状態が確認された場合には、当該外部出力装置側２では映像出力可能な状態に整っていると判断して映像出力先を当該外部出力装置２に切り替えるようにしたので、モード切替操作が不要となる。
【００５８】
催促メッセージは、外部出力装置２との接続が検出されていること及び映像出力先として外部出力装置２への切り替えが指示されていることを条件に出力されるので、携帯電話装置１側での準備が整った時点で外部出力装置２側の準備を促すことができる。
【００５９】
なお、外部出力装置２との接続が検出されていること及び映像出力先が外部出力装置２に切り替えが指示されていることを条件に催促メッセージを出力する場合には、外部出力装置２の接続中に映像出力先が外部出力装置２に切り替えられたタイミングで催促メッセージを出力するようにすれば、モード切替操作後、直ちに外部出力装置２側の準備を開始することが可能となり、逆に、映像出力先が外部出力装置２に切り替えられている「外部出力モード」下で外部出力装置２に接続されたタイミングで催促メッセージを出力するようにすれば、外部出力装置２の接続後、直ちに外部出力装置２側の準備を開始することが可能となる。
（実施例２）
【００６０】
以下、この発明の第２実施例について図７を参照して説明する。
なお、上述した第１実施例においては、外部出力装置２に接続された際に、当該外部出力装置２側の準備を促す催促メッセージを出力するようにしたが、この第２実施例においては、「携帯出力モード」において外部出力装置２との接続が検出された際に、映像出力先を外部出力装置２に切り替えるか否かを問い合わせるための確認メッセージを出力するようにしたものである。すなわち、クレードル装置３に載置（接続）された際に、充電するためにクレードル接続されたのか、テレビ放送を外部出力装置２で視聴するためにクレードル接続されたのかを問い合わせる確認メッセージを出力ようにしたものである。
ここで、両実施例において基本的あるいは名称的に同一のものは、同一符号を付して示し、その説明を省略すると共に、以下、第２実施例の特徴部分を中心に説明するものとする。
【００６１】
図７は、第２実施例の特徴部分である「携帯出力モード」下の動作を中心としたフローチャートである。
先ず、ＣＰＵ１１は、テレビキーのオン操作に応じてテレビ放送受信部２２及びＴＶアプリを起動させてテレビ映像を携帯表示部２０に表示させている「携帯出力モード」において、何らかのキーが操作された場合には（ステップＢ１でＹＥＳ）、モード切替キーの操作によって映像出力先を携帯表示部２０から外部出力装置２に切り替えることが指示されたか（ステップＢ２）、テレビキーのオフ操作によってテレビ終了が指示されたかを調べ（ステップＢ３）、それ以外のキーが操作されたときには（ステップＢ３でＮＯ）、その操作キーに応じた処理として、例えば、音量調整処理などを実行する（ステップＢ４）。
【００６２】
なお、モード切替キーの操作によって映像出力先を携帯表示部２０から外部出力装置２に切り替えることが指示された場合には（ステップＢ２でＹＥＳ）、クレードル装置３に接続されていることを条件に（ステップＢ５）、映像出力先を外部出力装置２とするために「外部出力モード」を選択してモードの切り替えを行うと共に（ステップＢ１１）、テレビ映像をクレードル装置３を介して外部出力装置２に送信する外部出力動作を開始したのち（ステップＢ１２）、「外部出力モード」下の処理を行う。また、テレビ終了が指示された場合には（ステップＢ３でＹＥＳ）、待受状態に戻る（図３のステップＡ１）。
【００６３】
また、「携帯出力モード」下でのキー操作無しのタイミングでは（ステップＢ１でＮＯ）、クレードル装置３を介して装置本体が外部出力装置２に物理的に接続されたか、つまり、クレードル接続部２５の出力が非接続の状態から接続状態に変化したかを判別し（ステップＢ６）、クレードル装置３に接続されていなければ、ステップＢ１に戻る。いま、クレードル装置３に接続されたときには（ステップＢ６でＹＥＳ）、外部出力装置２との電気的な接続状態を確認するための接続確認信号をクレードル装置３を介して外部出力装置２に送信する（ステップＢ７）。
【００６４】
そして、外部出力装置２からの応答有無をチェックした結果（ステップＢ８）、応答無しの場合（外部出力装置２側の入力モードがチューナモードに設定されている場合）には（ステップＢ８でＮＯ）、上述のステップＢ１に移るが、外部出力装置２からの応答を受信した場合（外部出力装置２側の入力モードが外部入力モードに設定されている場合）には（ステップＢ８でＹＥＳ）、外部出力装置２側では映像出力が可能な状態、つまり、映像出力の準備が整っている状態にあると判断し、「携帯出力モード」から「外部出力モード」に切り替えるか否かを問い合わせるための確認メッセージを出力する（ステップＢ９）。なお、この確認メッセージは、表示メッセージに限らず、音声メッセージであってもよい。
【００６５】
ここで、所定時間内にモード切替を肯定するＯＫ操作が行われたかを判別し（ステップＢ１０）、モード切替操作所定時間内に行われず、モード切替が拒否されたときには（ステップＢ１０でＮＯ）、上述のステップＢ１に戻る。また、モード切替を肯定するＯＫ操作が行われたときには（ステップＢ１０でＹＥＳ）、映像出力先を外部出力装置２とするために「外部出力モード」を選択してモードの切り替えを行うと共に（ステップＢ１１）、テレビ映像をクレードル装置３を介して外部出力装置２に送信する外部出力動作を開始したのち（ステップＢ１２）、「外部出力モード」下の処理を行う。
【００６６】
以上のように、この第２実施例において携帯電話装置１は、外部出力装置２との接続を検出した際に、映像出力先を外部出力装置に切り替えるか否かを問い合わせるための確認メッセージを出力するようにしたので、携帯電話装置１を外部出力装置２に接続した際に、外部出力装置２での映像出力を可能とする携帯端末側の準備を忘れないように注意を喚起させることができ、携帯電話装置１から外部出力装置２への円滑な映像出力を実現することが可能となる。
【００６７】
外部出力装置２に物理的に接続されていることを検出し、かつ、この外部出力装置２との電気的な接続状態を検出するようにしたので、それらの接続関係を確実に検出することができると共に、外部出力装置２との接続状態が確立した段階で映像出力先を外部出力装置２に切り替えるか否かを問い合わせるための確認メッセージを出力することができる。
【００６８】
映像出力先を外部出力装置２に切り替えるか否かを問い合わせる確認メッセージは、テレビ受信出力機能を構成するＴＶアプリが動作していること及び外部出力装置２との接続が検出されたことを条件に出力されるので、外部出力装置２の接続後、直ちに携帯電話装置１から外部出力装置２への映像出力を開始することが可能となる。
【００６９】
映像出力先を外部出力装置２に切り替えるか否かを問い合わせる確認メッセージの出力後に映像出力先の切り替えを肯定するユーザ操作が行われた際に、映像出力先を当該外部出力装置２に切り替えるようにしたので、肯定操作に連動してモード切替を行うことができる。
【００７０】
なお、上述した各実施例においては、外部出力装置側を映像出力可能な状態に準備すべきことを促す催促メッセージの出力によって、外部出力装置２の入力モードを外部入力モード（例えば、リモコンモード）に切り替えることを促すようにしたが、この入力モードの切替えのほか、外部出力装置２側の電源をオンすることを促すようにしてもよい。
【００７１】
上述した各実施例においては、外部出力装置２に接続されている否かを検出する際に、携帯電話装置１がクレードル装置３を介して外部出力装置２に接続されているか否かを検出するようにしたが、例えば、携帯電話装置１と外部出力装置２との接続は、外部出力装置２側のコネクタ部に携帯電話装置１を差し込むダイレクト接続であってもよく、また、携帯電話装置１と外部出力装置２とを通信ケーブルを介して接続するようにしてもよい。更に、携帯電話装置１と外部出力装置２との間で線通信によって映像情報を送受信するようにしてもよい。
【００７２】
上述した各実施例においては、外部出力装置２の入力モードが「外部出力モード」に切り替えられた際に、携帯電話装置１から外部出力装置２に対して映像出力するようにしたが、携帯電話装置１側で受信チャンネルの選択操作が行われる際に、外部出力装置２への映像出力を開始するようにしてもよい。
【００７３】
上述した各実施例においては、外部出力装置２として、据置型のテレビ受信機を示したが、他のＴＶ受信機能付き携帯電話装置であってもよく、また、外部モニタ装置（外部表示装置）であってもよい。
また、上述した各実施例においては、外部出力装置２に対するリモコン指示信号を赤外線通信によって送信するようにしたが、Bluetooth通信方式によって送信するようにしてもよい。
【００７４】
上述した各実施例においては、テレビ放送受信部２２からのテレビ映像を外部出力装置２に出力する場合を例示したが、テレビ放送の受信出力に限らず、記録メディア１３から外部供給された映像コンテンツあるいはインターネットを介してダウンロード受信した映像コンテンツなどを外部出力装置２から出力させるようにしてもよい。
【００７５】
上述した各実施例においては、２つの筐体（操作部筐体１Ａ、表示部筐体１Ｂ）を開閉可能に取り付けた折畳自在な携帯電話装置１を例示したが、例えば、装置本体を構成する２つの筐体の位置関係に応じて装置本体の形態を４つのスタイルに変更可能な折畳・回転型（２軸回転型）の携帯電話装置などであってもよい。
その他、ＴＶ受信機能付きの携帯電話装置に限らず、例えば、ＴＶ受信機能付きのＰＤＡ・電子カメラ・電子腕時計・音楽再生機などの携帯端末装置であっても同様に適用可能である。
【００７６】
なお、上述した第２実施例においては、するようにしたが、
その他、上述した第１及び第２実施例においては、携帯電話装置に限らず、例えば、ＰＤＡ、電子カメラ、電子腕時計、音楽再生機などの携帯端末装置であっても同様に適用可能である。
【図面の簡単な説明】
【００７７】
【図１】携帯端末装置として適用した携帯電話装置１で受信したテレビ放送内容を外部出力装置２から出力させる場合を示した概略斜視図。
【図２】テレビ受信出力機能付き携帯電話装置１の基本的な構成要素を示したブロック図。
【図３】電源投入に伴って実行開始される携帯電話装置の全体動作を示したフローチャート。
【図４】図３に続く、フローチャート。
【図５】図４に続く、フローチャート。
【図６】図５に続く、フローチャート。
【図７】第２実施例の特徴部分である「携帯出力モード」下の動作を示したフローチャート。
【符号の説明】
【００７８】
１  携帯電話装置
２  外部出力装置
３  クレードル装置
４  通信ケーブル
１１  ＣＰＵ
１２  記憶部
１５  電話通信部
２０  携帯表示部
２１  キー操作部
２２  テレビ放送受信部
２３  サウンドスピーカ
２４  リモコン用赤外線通信部
２５  クレードル接続部
【図１】
2008182390.tif 000003
【図２】
2008182390.tif 000004
【図３】
2008182390.tif 000005
【図４】
2008182390.tif 000006
【図５】
2008182390.tif 000007
【図６】
2008182390.tif 000008
【図７】
2008182390.tif 000009